(57)【要約】  ヒータ装置は、発熱体（２０１）と表層部（２２）とを備えている。その発熱体は発熱面（２０１ａ）を有し、その発熱面から熱を放射する。表層部は発熱面に対して積層され、発熱体によって加熱される。また、表層部の色がその表層部の温度に応じて変化する。
2016163175.tif 000002
【特許請求の範囲】
【請求項１】
ヒータ装置であって、
発熱面（２０１ａ）を有し、該発熱面から熱を放射する発熱体（２０１）と、
前記発熱面に対して積層され、該発熱体によって加熱される表層部（２２）とを備え、
前記表層部の色が該表層部の温度に応じて変化するヒータ装置。
【請求項２】
前記表層部は第１変色層（２２１）を含んで構成され、
該第１変色層は、該第１変色層の温度が所定の第１温度閾値（Ｔ１）を超えると第１色から第２色へ変化する請求項１に記載のヒータ装置。
【請求項３】
前記第１変色層は、前記発熱体を覆う発熱体基材（２０２）のうちの少なくとも一部を構成する請求項２に記載のヒータ装置。
【請求項４】
前記発熱体を覆う発熱体基材（２０２）を備え、
前記表層部は、前記発熱面に対し前記発熱体基材を介して積層されている請求項２に記載のヒータ装置。
【請求項５】
前記第１温度閾値は、前記発熱体が継続的に使用される際に許容される予め定められた該発熱体の上限温度に合わせて定められている請求項２ないし４のいずれか１つに記載のヒータ装置。
【請求項６】
前記第１色は、前記第２色に比して放射率が大きい色である請求項２ないし５のいずれか１つに記載のヒータ装置。
【請求項７】
前記表層部は、前記第１変色層に対し前記発熱体側とは反対側に積層された第２変色層（２２２）を含んで構成され、
該第２変色層は、該第２変色層の温度が前記第１温度閾値よりも低い所定の第２温度閾値（Ｔ２）を超えると、第３色から、可視光が透過する透過状態へ変化する請求項２ないし６のいずれか１つに記載のヒータ装置。
【請求項８】
前記第２変色層は、前記第１変色層に対して塗布された塗料から成る塗膜で構成されている請求項７に記載のヒータ装置。
【請求項９】
前記第２変色層は、前記第１変色層に貼り付けられたフィルムで構成されている請求項７に記載のヒータ装置。
【請求項１０】
前記表層部は、第１色を有する有色層（２０２ａ）と、該有色層に対し前記発熱体側とは反対側に積層された第２変色層（２２２）とを含んで構成され、
該第２変色層は、該第２変色層の温度が所定の第２温度閾値（Ｔ２）を超えると、第３色から、可視光が透過する透過状態へ変化する請求項１に記載のヒータ装置。
【請求項１１】
前記第２変色層は撥水性を有する請求項７ないし１０のいずれか１つに記載のヒータ装置。
【請求項１２】
前記第２温度閾値は、前記発熱体が継続的に使用される際に許容される予め定められた該発熱体の下限温度に合わせて定められている請求項７ないし１１のいずれか１つに記載のヒータ装置。
【請求項１３】
前記発熱面から放射される熱で車室内の乗員（１２）を温める面状の車載用輻射ヒータである請求項１ないし１２のいずれか１つに記載のヒータ装置。
【発明の詳細な説明】
【関連出願への相互参照】
【０００１】
本出願は、２０１５年４月７日に出願された日本特許出願番号２０１５−７８６７４号に基づくもので、ここにその記載内容が参照により組み入れられる。
【技術分野】
【０００２】
本開示は、熱を放射するヒータ装置に関するものである。
【背景技術】
【０００３】
従来から、この種のヒータ装置として、例えば特許文献１に記載された輻射パネル構造体が知られている。この特許文献１に記載された輻射パネル構造体は、熱の輻射によって室内の温度調整を行う。この輻射パネル構造体は、第１色を有する第１部と、第１色とは異なる色である第２色を有する第２部とを備えている。そして、輻射量は輻射面の色の影響を受けるので、色が異なれば輻射量が異なる。このため、この輻射パネル構造体では、異なる色の組合せにより輻射量を調整することができる。
【先行技術文献】
【特許文献】
【０００４】
【特許文献１】特開２００４−２７１０５７号公報
【発明の概要】
【０００５】
しかし、特許文献１の輻射パネル構造体であるヒータ装置は、ヒータ装置の作動後において、ヒータ装置が温める対象者に対し、ヒータ装置の温度状況をヒータ装置の外観によって知らせることはできない。本発明者らの詳細な検討の結果、以上のようなことが見出された。
【０００６】
本開示は上記点に鑑みて、ヒータ装置の外観によってヒータ装置の温度状況を知らせることを目的とする。
【０００７】
近年、玩具などにおいて、お風呂のお湯に漬けると色が変わるものがある。これは感温インクなどと呼ばれるものの作用である。例えば、その感温インクの作用とは、玩具の表面に感温インクを塗料として塗布すること、或いは、玩具を構成する樹脂材料に感温インクを含有させることで、その感温インクの変色する温度帯以上に玩具が加熱された場合に、色が変化するものである。本発明者らは、このように素材の色がその素材の温度に応じて変化するという現象に着目した。
【０００８】
以上のことから、上記目的を達成するため、本開示の１つの観点によれば、ヒータ装置は、
発熱面を有し、その発熱面から熱を放射する発熱体と、
発熱面に対して積層され、その発熱体によって加熱される表層部とを備え、
表層部の色がその表層部の温度に応じて変化する。
【０００９】
上述の開示によれば、表層部は発熱体の発熱面に対して積層され、その発熱体によって加熱されるものであり、その表層部の色が表層部の温度に応じて変化する。従って、ヒータ装置の外観によってヒータ装置の温度状況を、例えばヒータ装置によって温められる対象者へ知らせることが可能である。
【図面の簡単な説明】
【００１０】
【図１】第１実施形態において、ヒータ装置と、運転者である乗員との位置関係を表した図である。
【図２】第１実施形態において、ヒータ装置の概略構成を示した分解斜視図である。
【図３】第１実施形態において、ヒータ装置を厚み方向に沿って切断した断面図である。
【図４】第１実施形態のヒータ装置において、第１変色層および第２変色層の色と表層部の温度との関係を示した模式図である。
【図５】第１実施形態のヒータ装置の分解斜視図であって、発熱体の非作動温度域すなわちヒータ装置の非作動温度域における表層部の色を示した図である。
【図６】第１実施形態のヒータ装置の分解斜視図であって、発熱体の通常使用温度域（例えば６０〜１２０℃）における表層部の色を示した図である。
【図７】第１実施形態のヒータ装置の分解斜視図であって、発熱体が部分的に通常使用温度域を超えて高温になった異常高温時（例えば１２０℃よりも高温）における表層部の色を示した図である。
【図８】第１実施形態のヒータ装置の分解斜視図であって、発熱体の温度が通常使用温度域内にあるときにヒータ装置の乗員側表面を乗員が触れた場合における表層部の色を示した図である。
【図９】第２実施形態のヒータ装置において、表層部を構成する各変色層の色と表層部の温度との関係を示した模式図であって、図４に相当する図である。
【図１０】第１実施形態の変形例において、ヒータ装置を厚み方向に沿って切断した断面を示す断面図であって、第１実施形態の図３に相当する図である。
【発明を実施するための形態】
【００１１】
以下、本開示の実施形態について図に基づいて説明する。なお、以下の各実施形態相互において、互いに同一もしくは均等である部分には、図中、同一符号を付してある。
【００１２】
（第１実施形態）
図１は、本実施形態において、ヒータ装置１０ａ、１０ｂと、運転者である乗員１２との位置関係を表した図である。図１の各矢印ＤＲ１、ＤＲ２は、ヒータ装置１０ａ、１０ｂが搭載される車両の向きを示す。すなわち、図１の両端矢印ＤＲ１は車両前後方向ＤＲ１を示し、両端矢印ＤＲ２は車両上下方向ＤＲ２を示している。
【００１３】
図１に示すようにヒータ装置１０ａ、１０ｂは２つ設けられており、その２つのヒータ装置１０ａ、１０ｂのうちの第１ヒータ装置１０ａはインストルメントパネル９０の下部に取り付けられている。そして、第２ヒータ装置１０ｂは、インストルメントパネル９０から車両後方へ突き出てステアリングホイール９２を支持するステアリングコラム９４の下部に取り付けられている。何れのヒータ装置１０ａ、１０ｂも、給電されて発熱する電気ヒータである。
【００１４】
ヒータ装置１０ａ、１０ｂは、下向きに熱を放射し、且つ、運転席９６に着座して運転姿勢になった乗員１２（すなわち、運転者１２）の脚部１２１に対向するように設置されている。ヒータ装置１０ａ、１０ｂは例えば、そのヒータ装置１０ａ、１０ｂ表面の法線方向に向けて熱を放射する。
【００１５】
また、ヒータ装置１０ａ、１０ｂは何れも湾曲させられた状態で設置可能であり、第１ヒータ装置１０ａは、インストルメントパネル９０の曲面に沿って湾曲させられた状態で設置されている。ヒータ装置１０ａ、１０ｂは輻射式のヒータ装置であり、矢印ＡＲｔのように乗員１２の脚部１２１へ熱を放射する。これにより、その脚部１２１のうち二点鎖線で囲んだ部分が特に暖まる。なお、第１ヒータ装置１０ａおよび第２ヒータ装置１０ｂは何れも同じ構造を有しているので、以下では、第１ヒータ装置１０ａについて説明する。
【００１６】
図２は、ヒータ装置１０ａ、１０ｂの概略構成を示した分解斜視図である。また、図３は、ヒータ装置１０ａ、１０ｂを厚み方向に沿って切断した断面図である。この図２および図３に示すように、第１ヒータ装置１０ａは、薄い板状すなわち面状であって例えば矩形形状に形成されている。要するに、第１ヒータ装置１０ａは面状のヒータ装置である。
【００１７】
第１ヒータ装置１０ａは、ヒータ本体２０と表層部２２とを備えている。ヒータ本体２０はフィルム状に構成された面状ヒータである。また、図３に示すように、ヒータ本体２０は、通電により熱を発する発熱体２０１と、発熱体基材２０２とから構成されている。
【００１８】
発熱体２０１は膜状に形成されており、発熱体２０１の厚み方向における一方の面すなわち乗員１２側の面を発熱面２０１ａとして有している。すなわち、図１に示す車室内では、その発熱面２０１ａは乗員１２の脚部１２１側に向いており、発熱面２０１ａとは反対側の裏面２０１ｂ（図３参照）はインストルメントパネル９０側を向いている。
【００１９】
例えば発熱体２０１は、電気抵抗を有する材料が膜状に成形されて構成されている。発熱体２０１は、発熱体２０１の熱を、温める対象である暖房対象者としての乗員１２へ向けて発熱面２０１ａから放射する。すなわち、第１ヒータ装置１０ａは、その発熱面２０１から放射される熱で車室内の乗員１２を温める面状の車載用輻射ヒータである。
【００２０】
図３に示すように、発熱体基材２０２は、発熱体２０１の発熱面２０１ａおよび裏面２０１ｂを覆ってその発熱体基材２０２内に収容している。発熱体基材２０２は、例えば優れた電気絶縁性と高い耐熱性とを有する樹脂材料によって作られている。具体的に、発熱体基材２０２は、第１基材部２０２ａと第２基材部２０２ｂとから構成され、第１基材部２０２ａおよび第２基材部２０２ｂは何れもフィルム状に形成されている。
【００２１】
また、第１基材部２０２ａおよび第２基材部２０２ｂの外形は、例えば発熱体２０１と同様の矩形形状であるが、発熱体２０１から全周にわたってはみ出る大きさとなっている。第１基材部２０２ａは発熱体２０１の発熱面２０１ａ上に積層配置され、第２基材部２０２ｂは、発熱体２０１の裏面２０１ｂ上に積層配置されている。そして、第１基材部２０２ａおよび第２基材部２０２ｂの互いの周縁部分同士が接合され、これによって、発熱体２０１は発熱体基材２０２内に収容されている。
【００２２】
ヒータ本体２０の発熱体２０１の出力、温度、発熱量は、第１ヒータ装置１０ａを制御する不図示のヒータ制御装置によって制御される。そのヒータ制御装置は、発熱体２０１に印加する電圧値、電流値を制御することにより、発熱体２０１の出力、温度、発熱量等を制御できる。従って、発熱体２０１から乗員１２（図１参照）に対して輻射される輻射熱量は、ヒータ制御装置の制御によって増減される。具体的には、第１ヒータ装置１０ａの作動中におけるその輻射熱量は、発熱体２０１の温度が後述の通常使用温度域（例えば、６０〜１２０℃）内に継続して入るようにヒータ制御装置によって調節される。
【００２３】
表層部２２は、発熱体２０１の発熱面２０１ａに積層されている。詳しく言えば、表層部２２は、その発熱面２０１ａに対し発熱体基材２０２の第１基材部２０２ａを介して積層されている。従って、ヒータ本体２０の表層部２２側とは反対側の面が、インストルメントパネル９０（図１参照）へ取り付けられる取付面になっている。
【００２４】
また、表層部２２は第１基材部２０２ａの全面を覆っており、第１基材部２０２ａに対し例えば接着または貼付等の方法で接合されている。そのため、表層部２２は、発熱体２０１が発熱すれば、発熱体２０１によって加熱される。言い換えれば、発熱体２０１の温度状況に応じて表層部２２の温度が変化する。そして、その表層部２２の温度に応じて表層部２２の色が変化する。
【００２５】
そのように表層部２２の色を温度に応じて変化させるために、表層部２２は、図２および図３に示すように、第１変色層２２１と第２変色層２２２とを含んで構成されている。
【００２６】
第１変色層２２１は、発熱体基材２０２の第１基材部２０２ａに対し発熱体２０１側とは反対側すなわち乗員１２側に積層されている。第１変色層２２１は、例えば、所定温度にて変色する感温変色材料である感温インク等を樹脂製の織布等の表皮材に含有させたもので構成されている。
【００２７】
これにより、第１変色層２２１は、その第１変色層２２１の温度が所定の第１温度閾値Ｔ１を超えると第１色から第２色へ変化する。言い換えれば、第１変色層２２１に含まれる感温変色材料は第１温度閾値Ｔ１を境に変色する。
【００２８】
従って、図４に示すように、その第１温度閾値Ｔ１を境にした低温側の温度領域では第１変色層２２１は、赤色またはオレンジ色等の暖色である第１色になる。その一方で、第１温度閾値Ｔ１を境にした高温側の温度領域では第１変色層２２１は、黄色など注意を喚起するための予め定められた注意色である第２色になる。詳細には、第１変色層２２１の第１色は、第２色に比して放射率が大きい色となっている。その放射率とは、一定の温度での黒体の放射エネルギーに対する物質の放射エネルギーの比である。なお、図４は、第１変色層２２１および第２変色層２２２の色と表層部２２の温度との関係を示した模式図である。
【００２９】
第２変色層２２２は、図２および図３に示すように、第１変色層２２１に対し発熱体２０１側とは反対側すなわち乗員１２側に積層されている。第２変色層２２２は、例えば、第１変色層２２１に対して塗布された塗料から成る塗装膜（言い換えれば、塗膜）である。そして、第２変色層２２２は、第１ヒータ装置１０ａのうち乗員１２側の最外層表面を構成するので、第２変色層２２２には撥水加工が施されている。すなわち、第２変色層２２２は撥水性を有する。
【００３０】
また、第２変色層２２２は、第１変色層２２１と同様に感温インク等の感温変色材料を含有して構成されている。これにより、第２変色層２２２は、その第２変色層２２２の温度が所定の第２温度閾値Ｔ２を超えると、第３色から、可視光が透過する透過状態へ変化する。言い換えれば、第２変色層２２２に含まれる感温変色材料は第２温度閾値Ｔ２を境に変色する。
【００３１】
従って、図４に示すように、その第２温度閾値Ｔ２を境にした低温側の温度領域では第２変色層２２２は、黒色である第３色になる一方で、高温側の温度領域では第２変色層２２２は透過状態になる。その第２変色層２２２の透過状態とは、第２変色層２２２が透き通る無色透明または有色透明を意味する。本実施形態では上記高温側の温度領域における第２変色層２２２は無色透明になる。なお、表層部２２に含まれる各変色層２２１、２２２の色とは、オレンジ色や黒色等の不透明な色だけでなく透明色も含んだ意味である。
【００３２】
具体的に、上記の第１温度閾値Ｔ１は、発熱体２０１が継続的に使用される際に許容される予め定められた発熱体２０１の通常使用温度域における上限温度に合わせて定められている。本実施形態では第１温度閾値Ｔ１は図４に示すように１２０℃となっている。そして、第２温度閾値Ｔ２は第１温度閾値Ｔ１よりも低い温度閾値であり、上記発熱体２０１の通常使用温度域における下限温度に合わせて定められている。本実施形態では第２温度閾値Ｔ２は６０℃となっている。なお、上記の第１温度閾値Ｔ１が通常使用温度域の上限温度に合わせて定められていることとは、その上限温度に一致していることに限らず技術常識に鑑みて概ね一致していることを含んでいる。このことは、第２温度閾値Ｔ２と通常使用温度域の下限温度との関係についても同様である。
【００３３】
また、第１変色層２２１は第１温度閾値Ｔ１を境に変色し、第２変色層２２２は第２温度閾値Ｔ２を境に変色するが、何れの変色層２２１、２２２も瞬時に変色してもよいし、変色の過渡状態を経て変色してもよい。
【００３４】
ヒータ本体２０の乗員１２側はこのような表層部２２で覆われているが、第１ヒータ装置１０ａの作動中において表層部２２に物体が接触する場合が想定される。そのように表層部２２に物体が接触した場合には、発熱体２０１から表層部２２に伝達している熱は、その接触している物体へ急速に伝達されその物体へ拡散する。その結果、表層部２２のうち物体が接触している接触部分の温度は急速に低下する。よって、第１ヒータ装置１０ａのうち、その接触部分の表面温度は急速に低下する。このように、表層部２２に物体が接触した場合には、その接触部分において第１ヒータ装置１０ａの表面温度が局所的に低下し、接触した物体を過剰に加熱することが回避されるようになっている。
【００３５】
次に、第１ヒータ装置１０ａの色変化について説明する。図５は、ヒータ装置１０ａ、１０ｂの分解斜視図であって、発熱体２０１の非作動温度域すなわちヒータ装置１０ａ、１０ｂの非作動温度域における表層部２２の色を示した図である。その非作動温度域とは、通常使用温度域の下限温度よりも低い温度域であり、その非作動温度域では、発熱体２０１は、作動しておらず室温になっている状態、または、発熱体２０１が作動直後で通常使用温度域の下限温度に到達するまでの状態にある。なお、通常使用温度域の下限温度は本実施形態では６０℃である。
【００３６】
この図５および図４に示すように、発熱体２０１の非作動温度域では、表層部２２の第２変色層２２２の温度は第２温度閾値Ｔ２以下（具体的には６０℃以下）であるので、その第２変色層２２２は、不透明であり第３色になる。従って、第１ヒータ装置１０ａは、乗員１２から見れば第２変色層２２２の第３色すなわち黒色に見える。
【００３７】
図６は、ヒータ装置１０ａ、１０ｂの分解斜視図であって、発熱体２０１の通常使用温度域（例えば６０〜１２０℃）における表層部２２の色を示した図である。この図６および図４に示すように、発熱体２０１の通常使用温度域では、表層部２２の第１および第２変色層２２１、２２２の温度は第２温度閾値Ｔ２よりも高く且つ第１温度閾値Ｔ１以下（具体的には１２０℃以下）である。従って、第２変色層２２２は透過状態になり、第１変色層２２１は第１色になる。そのため、乗員１２から第１ヒータ装置１０ａを見れば第２変色層２２２が透き通り第１変色層２２１が見えるので、第１ヒータ装置１０ａは第１変色層２２１の第１色すなわち暖色（例えばオレンジ色）に見える。
【００３８】
図７は、ヒータ装置１０ａ、１０ｂの分解斜視図であって、発熱体２０１が部分的に通常使用温度域を超えて高温になった異常高温時（例えば１２０℃よりも高温）における表層部２２の色を示した図である。図７の例では、発熱体２０１は部分的に異常高温になっている。
【００３９】
この図７に示す発熱体２０１の異常高温時には、表層部２２の第１および第２変色層２２１、２２２の温度は第２温度閾値Ｔ２よりも高くなっている。そして、第１および第２変色層２２１、２２２の温度は、表層部２２のうちの一部分である異常高温部Ａｈｔでは第１温度閾値Ｔ１を超えているが、その異常高温部Ａｈｔ以外の部分では第１温度閾値Ｔ１以下となっている。従って、第２変色層２２２は透過状態になり、第１変色層２２１は異常高温部Ａｈｔにおいては第２色になるが、異常高温部Ａｈｔ以外の部分では第１色になる。そのため、乗員１２から第１ヒータ装置１０ａを見れば、第２変色層２２２が透き通り第１変色層２２１が見える。すなわち、第１ヒータ装置１０ａは、異常高温部Ａｈｔにおいては第１変色層２２１の第２色すなわち注意色（例えば黄色）に見え、異常高温部Ａｈｔ以外の部分においては第１変色層２２１の第１色すなわち暖色に見える。
【００４０】
図８は、ヒータ装置１０ａ、１０ｂの分解斜視図であって、発熱体２０１の温度が通常使用温度域内にあるときにヒータ装置１０ａ、１０ｂの乗員側表面を乗員１２が触れた場合における表層部２２の色を示した図である。図８の例では、乗員１２が表層部２２の一部分に触れている。
【００４１】
この図８に示すように、第１ヒータ装置１０ａが作動中に触れられると、その触れられた接触箇所およびその周辺から成る接触部Ａｔｃｈにおいて、上述したように温度低下が生じる。従って、第１および第２変色層２２１、２２２の温度は、表層部２２のうちの接触部Ａｔｃｈ以外の部分では第２温度閾値Ｔ２よりも高く且つ第１温度閾値Ｔ１以下であるが、その接触部Ａｔｃｈでは第２温度閾値Ｔ２以下になる。
【００４２】
そのため、乗員１２から第１ヒータ装置１０ａを見れば、第１ヒータ装置１０ａは、接触部Ａｔｃｈ以外の部分においては、第２変色層２２２が透き通り第１変色層２２１の第１色に見える。その一方で、接触部Ａｔｃｈにおいては、第２変色層２２２が第３色になるので第１変色層２２１は見えず、第１ヒータ装置１０ａは第３色に見える。
【００４３】
図４〜８を用いて説明したように、表層部２２は発熱体２０１の温度に応じて変色し、その表層部２２の色は、発熱体２０１の温度すなわち表層部２２の温度が高いほど放射率の低い色に変化する。一般的に黒または濃い色は放射率が大きい色（具体的には、「放射率＝０．９程度」の色）であり、白色または黄色は放射率が小さい色（具体的には、「放射率＝０．７〜０．８程度」の色）であることが知られている。
【００４４】
上述したように、本実施形態によれば、表層部２２は発熱体２０１の発熱面２０１ａに対して積層され、その発熱体２０１によって加熱されるものであり、その表層部２２の色が表層部２２の温度に応じて変化する。従って、ヒータ装置１０ａ、１０ｂの外観によってヒータ装置１０ａ、１０ｂの温度状況を、例えばヒータ装置１０ａ、１０ｂによって温められる対象者としての乗員１２へ知らせることが可能である。
【００４５】
また、本実施形態によれば、表層部２２のうちの一層を構成する第１変色層２２１は、図４に示すように、その第１変色層２２１の温度が所定の第１温度閾値Ｔ１を超えると第１色から第２色へ変化する。従って、発熱体２０１の発熱中において、発熱体２０１の温度が第１温度閾値Ｔ１を超えて高温になったか否かを視覚的に乗員１２へ知らせることが可能である。
【００４６】
また、本実施形態によれば、図３に示すように、表層部２２は、発熱体２０１の発熱面２０１ａに対し発熱体基材２０２の第１基材部２０２ａを介して積層されている。従って、ヒータ本体２０を共通部品としつつ表層部２２を異ならせることで、変色パターンの異なるヒータ装置１０ａ、１０ｂを実現できる。
【００４７】
また、本実施形態によれば、図４に示すように、第１温度閾値Ｔ１は、発熱体２０１が継続的に使用される際に許容される予め定められた発熱体２０１の上限温度に合わせて定められている。従って、発熱体温度がその上限温度を超えて高温になったか否か、すなわち、発熱体温度が通常使用温度域を超えて高温になったか否かを視覚的に乗員１２へ知らせることが可能である。
【００４８】
また、本実施形態によれば、第２温度閾値Ｔ２は、発熱体２０１が継続的に使用される際に許容される予め定められた発熱体２０１の下限温度に合わせて定められている。従って、ヒータ装置１０ａ、１０ｂが作動していない状態を、視覚的に乗員１２へ知らせることが可能である。
【００４９】
また、本実施形態によれば、第１変色層２２１の第１色は、第２色に比して放射率が大きい色である。従って、第１変色層２２１はその温度が高くなるほど白っぽくなるので、その第１変色層２２１の温度に応じた色変化を人の感覚に合ったものにすることが可能である。
【００５０】
また、本実施形態によれば、第２変色層２２２は、その第２変色層２２２の温度が第１温度閾値Ｔ１よりも低い第２温度閾値Ｔ２を超えると、第３色から透過状態へ変化する。従って、第１変色層２２１の色変化を視認できるようにしつつ、表層部２２を３色変化させることが可能である。
【００５１】
また、本実施形態によれば、第２変色層２２２は撥水性を有するので、ヒータ装置１０ａ、１０ｂの結露など水分の付着に起因した不具合を防止することが可能である。
【００５２】
以上、説明したように、ヒータ装置１０ａ、１０ｂの外観は、例えば図５〜８に示される各々の温度変化により、乗員１２からの見た目の色が変わる構造となっている。これにより、そのヒータ装置１０ａ、１０ｂの起動を乗員１２に対し見た目で知らせることができる。それと共に、ヒータ装置１０ａ、１０ｂがヒータ制御装置の温度制御下の通常使用温度域内で作動していることも乗員１２に知らせることが可能である。
【００５３】
加えて、例えばヒータ本体２０の部分的な損傷により一部が異常高温になった場合、或いは、ヒータ制御装置の温度制御における何らかの異常により発熱体２０１が異常な温度上昇を生じた場合にも、乗員１２からの見た目の色が、注意を喚起できる注意色に変化する。これにより、ヒータ装置１０ａ、１０ｂの異常を乗員１２に見た目で知らせることが可能であり、乗員１２にヒータ作動に対する安心感を提供することができる。
【００５４】
また、乗員１２は、接触部Ａｔｃｈ（図８参照）の温度が下がるというヒータ装置１０ａ、１０ｂの特徴を、その接触部Ａｔｃｈの色が温度低下により黒色に変わることで視認することができる。すなわち、ヒータ装置１０ａ、１０ｂへの接触に関する乗員１２への安全性を、視覚的に知らせることも可能である。そして、本実施形態のヒータ装置１０ａ、１０ｂでは、表層部２２を設けるというシンプルな構成でこれらの様々な効果が得られる。具体的に言えば、ヒータ本体２０の非作動時、作動時、および異常高温時のそれぞれを示す色に表層部２２の色が変わるという効果を、複雑な電子機器や高価な発光体を用いずに、安価且つ簡素な構造で乗員１２に提供することが可能である。更に、ヒータ本体２０の異常高温時には、黄色など放射率が小さい注意色を乗員１２に視認させることで、乗員１２への熱的な不具合を低減することができる。
【００５５】
（第２実施形態）
次に、第２実施形態について説明する。本実施形態では、前述の第１実施形態と異なる点を主として説明し、第１実施形態と同一または均等な部分については省略または簡略化して説明する。
【００５６】
図９は、表層部２２を構成する各変色層２２１、２２２、２２３の色と表層部２２の温度との関係を示した模式図であって、図４に相当する図である。図９に示すように、本実施形態では、表層部２２は第１変色層２２１および第２変色層２２２に加えて、第３変色層２２３を有している。そのため、表層部２２における乗員１２側の最外層は、第２変色層２２２ではなく第３変色層２２３である。また、各変色層２２１、２２２、２２３はシール状の薄膜などで構成されている。これらの点が第１実施形態と異なっている。
【００５７】
具体的に、表層部２２は、第１変色層２２１の乗員１２側に第２変色層２２２が積層され、第２変色層２２２の乗員１２側に第３変色層２２３が積層され且つそれらの変色層２２１、２２２、２２３が一体となって構成されている。
【００５８】
本実施形態では、第１変色層２２１の第２色は第１実施形態と同様に、例えば注意色としての黄色になっている。また、第１変色層２２１の第１色は、第１実施形態と同様に暖色ではあるが、例えば赤色になっている。
【００５９】
第２変色層２２２の第３色は、暖色ではあるが第１色とは異なる色とされている。例えば第３色はオレンジ色とされている。そして、第２温度閾値Ｔ２は、通常使用温度域の上限温度と下限温度との中間の温度とされている。なお、本実施形態では通常使用温度域の上限温度は１２０℃であり下限温度は６０℃である。
【００６０】
第３変色層２２３は、その第３変色層２２３の温度が所定の第３温度閾値Ｔ３を超えると、第４色から透過状態へ変化する。すなわち、図９に示すように、その第３温度閾値Ｔ３を境にした低温側の温度領域では第３変色層２２３は、黒色である第４色になる一方で、高温側の温度領域では第３変色層２２３は透過状態になる。その第３変色層２２３の透過状態とは有色透明でも無色透明でもよいが、本実施形態では無色透明である。
【００６１】
詳細には、上記の第３温度閾値Ｔ３は第２温度閾値Ｔ２よりも低い温度閾値であり、上述した発熱体２０１の通常使用温度域における下限温度に合わせて定められている。本実施形態では第３温度閾値Ｔ３は６０℃となっている。
【００６２】
表層部２２がこのような構成であることから、表層部２２は発熱体２０１の温度に応じて図９に示すように変色する。すなわち、乗員１２からの第１ヒータ装置１０ａの見た目（すなわち、外観）は、発熱体２０１の通常使用温度域のうち第２温度閾値Ｔ２以下の低温側の温度域では第３色としてのオレンジ色になる。そして、通常使用温度域のうち第２温度閾値Ｔ２を超えた高温側の温度域では第１色としての赤色になる。
【００６３】
このように本実施形態では第１実施形態と比較して、表層部２２は、通常使用温度域において細分化した色変化を見せる。これにより、ヒータ装置１０ａ、１０ｂの温度状況を精度良く視覚的に乗員１２へ知らせることが可能である。
【００６４】
また、本実施形態では、前述の第１実施形態と共通の構成から奏される効果を第１実施形態と同様に得ることができる。
【００６５】
なお、本実施形態では、表層部２２における乗員１２側の最外層は第３変色層２２３であるので、撥水加工が施されるとすれば、撥水加工は、第２変色層２２２ではなく第３変色層２２３に対して施されるのが好ましい。
【００６６】
（他の実施形態）
（１）上述の各実施形態において、ヒータ装置１０ａ、１０ｂは車両に搭載される車載用輻射ヒータであるが、ヒータ装置１０ａ、１０ｂの設置場所は車両には限られず、例えばヒータ装置１０ａ、１０ｂは建物の室内等に設置されても差し支えない。
【００６７】
（２）上述の各実施形態において、表層部２２は発熱体基材２０２の第１基材部２０２ａの全面を覆っているが、第１基材部２０２ａを部分的に覆っているだけであっても差し支えない。
【００６８】
（３）上述の第１実施形態において、第２変色層２２２の第３色は黒色であるが、第１変色層２２１の第１色および第２色と異なっていれば黒色に限られるものではない。例えば、その第２変色層２２２の第３色は、第１ヒータ装置１０ａが取り付けられている内装部材としてのインストルメントパネル９０と同じ色である内装色またはその内装色に類似する色であっても差し支えない。また、第１変色層２２１の第１色および第２色も任意に選択されて良い。
【００６９】
例えば、非作動温度域の発熱体温度を示す第２変色層２２２の第３色は内装色とされてもよい。それと共に、通常使用温度域の発熱体温度を示す第１変色層２２１の第１色は黒色または濃い赤色とされ、異常高温時の発熱体温度を示す第１変色層２２１の第２色は、その黒色および濃い赤色よりも放射率が小さい白色または黄色とされてもよい。
【００７０】
また、これと同様に、上述の第２実施形態において、第３変色層２２３の第４色が、黒色に替えて上記内装色またはその内装色に類似する色とされても差し支えない。
【００７１】
（４）上述の第１実施形態において、表層部２２は第１変色層２２１と第２変色層２２２とを含んでいるが、表層部２２が第２変色層２２２を含んでいない構成も考え得る。要するに、表層部２２は、少なくとも１つの変色層を有していればよい。
【００７２】
例えば、表層部２２が２つの変色層２２１、２２２のうち第２変色層２２２を有さずに第１変色層２２１だけを含んでいる場合には、表層部２２が変色する効果は、発熱体２０１の異常高温時にのみ表層部２２が注意色に変化するという効果に絞られてもよい。
【００７３】
逆に、上述の第１実施形態において、表層部２２が第１変色層２２１を含まずに第２変色層２２２を含んでいる図１０のような構成も考え得る。そのようにする場合には、例えば発熱体基材２０２の全部または第１基材部２０２ａがオレンジ色等の暖色に着色される。すなわち、図１０に示すように、第１基材部２０２ａは、第１色を有する有色層として表層部２２の一部を構成し、ヒータ本体２０と表層部２２とに重複する部位となる。
【００７４】
そして、第２変色層２２２の温度が第２温度閾値Ｔ２を超えると第２変色層２２２は透過状態へ変化するので、発熱体基材２０２の暖色が、透けた第２変色層２２２を介して見えることになる。すなわち、ヒータ本体２０の作動状態を色変化によって示すことができる。そして、接触部Ａｔｃｈ（図８参照）で第２変色層２２２が黒色に変わる効果は、第１変色層２２１が無くても得ることができる。
【００７５】
（５）上述の各実施形態において、各変色層２２１、２２２、２２３は、例えば感温インクを含有することで、温度に応じた変色作用を奏する。しかしながら、これは一例であり、各変色層２２１、２２２、２２３は、その感温インクに替えて、例えば、温度によって色が変わる材料、素材、または布などにより構成されることで、上記温度に応じた変色作用を奏するようになっていても差し支えない。
【００７６】
（６）上述の各実施形態において、第１変色層２２１は、例えば感温インク等を表皮材に含有させたもので構成されており、発熱体基材２０２とは別の部材であるが、第１変色層２２１は、発熱体基材２０２のうちの少なくとも一部を構成していても差し支えない。そのようにする場合には、例えば、発熱体基材２０２のうちの第１基材部２０２ａは、感温インクを含有する薄膜フィルム等で構成される。そして、その第１基材部２０２ａは、第１変色層２２１として表層部２２の一部を構成し、ヒータ本体２０と表層部２２とに重複する部位となる。
【００７７】
（７）上述の第１実施形態において、第２変色層２２２は表層部２２のうちの最外層を構成し撥水性を有するが、撥水加工が第２変色層２２２に施されておらず、第２変色層２２２は、単に感温インクから成る塗膜で構成されていても差し支えない。このことは、第２実施形態の第３変色層２２３についても同様である。
【００７８】
（８）上述の第１実施形態において、第２変色層２２２は、例えば第１変色層２２１に対して塗布された塗料から成る塗装膜であるが、その材料および成形方法に限定はない。例えば、第２変色層２２２は、第１変色層２２１に貼り付けられたフィルムで構成されていても差し支えない。そのようにする場合には、例えば、感温インクが印刷された上記フィルムとしてのシール状の薄膜が第２変色層２２２になり、その薄膜である第２変色層２２２が第１変色層２２１に貼り付けられる。
【００７９】
（９）上述の各実施形態において、ヒータ装置１０ａ、１０ｂ周りに照明は特に設けられてはいないが、例えばＬＥＤや電球等の簡素な発光体がヒータ装置１０ａ、１０ｂ周りに設けられても差し支えない。そのようにしたとすれば、夜間などヒータ装置１０ａ、１０ｂ表面が変色しても視認しづらい場合に、その発光体によってヒータ装置１０ａ、１０ｂの表面が照らされて、ヒータ装置１０ａ、１０ｂの色変化を乗員１２が容易に視認できるようになる。
【００８０】
なお、本開示は上記した実施形態に限定されるものではない。本開示は、様々な変形例や均等範囲内の変形をも包含する。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【図１】
2016163175.tif 000003
【図２】
2016163175.tif 000004
【図３】
2016163175.tif 000005
【図４】
2016163175.tif 000006
【図５】
2016163175.tif 000007
【図６】
2016163175.tif 000008
【図７】
2016163175.tif 000009
【図８】
2016163175.tif 000010
【図９】
2016163175.tif 000011
【図１０】
2016163175.tif 000012
【手続補正書】
【提出日】平成29年4月27日(2017.4.27)
【手続補正１】
【補正対象書類名】特許請求の範囲
【補正対象項目名】全文
【補正方法】変更
【補正の内容】
【特許請求の範囲】
【請求項１】
ヒータ装置であって、
発熱面（２０１ａ）を有し、該発熱面から熱を放射する発熱体（２０１）と、
前記発熱面に対して積層され、該発熱体によって加熱される表層部（２２）とを備え、
前記表層部の色が該表層部の温度に応じて変化し、
前記表層部は第１変色層（２２１）を含んで構成され、
該第１変色層は、該第１変色層の温度が所定の第１温度閾値（Ｔ１）を超えると第１色から第２色へ変化し、
前記第１色は、前記第２色に比して放射率が大きい色であるヒータ装置。
【請求項２】
前記表層部は、前記第１変色層に対し前記発熱体側とは反対側に積層された第２変色層（２２２）を含んで構成され、
該第２変色層は、該第２変色層の温度が前記第１温度閾値よりも低い所定の第２温度閾値（Ｔ２）を超えると、第３色から、可視光が透過する透過状態へ変化する請求項１に記載のヒータ装置。
【請求項３】
ヒータ装置であって、
発熱面（２０１ａ）を有し、該発熱面から熱を放射する発熱体（２０１）と、
前記発熱面に対して積層され、該発熱体によって加熱される表層部（２２）とを備え、
前記表層部の色が該表層部の温度に応じて変化し、
前記表層部は、第１変色層（２２１）と、該第１変色層に対し前記発熱体側とは反対側に積層された第２変色層（２２２）とを含んで構成され、
前記第１変色層は、該第１変色層の温度が所定の第１温度閾値（Ｔ１）を超えると第１色から第２色へ変化し、
前記第２変色層は、該第２変色層の温度が前記第１温度閾値よりも低い所定の第２温度閾値（Ｔ２）を超えると、第３色から、可視光が透過する透過状態へ変化するヒータ装置。
【請求項４】
前記第２変色層は、前記第１変色層に対して塗布された塗料から成る塗膜で構成されている請求項２または３に記載のヒータ装置。
【請求項５】
前記第２変色層は、前記第１変色層に貼り付けられたフィルムで構成されている請求項２または３に記載のヒータ装置。
【請求項６】
前記第２変色層は撥水性を有する請求項２ないし５のいずれか１つに記載のヒータ装置。
【請求項７】
前記第２温度閾値は、前記発熱体が継続的に使用される際に許容される予め定められた該発熱体の下限温度に合わせて定められている請求項２ないし６のいずれか１つに記載のヒータ装置。
【請求項８】
前記第１変色層は、前記発熱体を覆う発熱体基材（２０２）のうちの少なくとも一部を構成する請求項１ないし７のいずれか１つに記載のヒータ装置。
【請求項９】
前記発熱体を覆う発熱体基材（２０２）を備え、
前記表層部は、前記発熱面に対し前記発熱体基材を介して積層されている請求項１ないし７のいずれか１つに記載のヒータ装置。
【請求項１０】
前記第１温度閾値は、前記発熱体が継続的に使用される際に許容される予め定められた該発熱体の上限温度に合わせて定められている請求項１ないし９のいずれか１つに記載のヒータ装置。
【請求項１１】
ヒータ装置であって、
発熱面（２０１ａ）を有し、該発熱面から熱を放射する発熱体（２０１）と、
前記発熱面に対して積層され、該発熱体によって加熱される表層部（２２）とを備え、
前記表層部の色が該表層部の温度に応じて変化し、
前記表層部は、第１色を有する有色層（２０２ａ）と、該有色層に対し前記発熱体側とは反対側に積層された第２変色層（２２２）とを含んで構成され、
該第２変色層は、該第２変色層の温度が所定の第２温度閾値（Ｔ２）を超えると、第３色から、可視光が透過する透過状態へ変化するヒータ装置。
【請求項１２】
前記第２変色層は撥水性を有する請求項１１に記載のヒータ装置。
【請求項１３】
前記第２温度閾値は、前記発熱体が継続的に使用される際に許容される予め定められた該発熱体の下限温度に合わせて定められている請求項１１または１２に記載のヒータ装置。
【請求項１４】
前記発熱面から放射される熱で車室内の乗員（１２）を温める面状の車載用輻射ヒータである請求項１ないし１３のいずれか１つに記載のヒータ装置。
【手続補正２】
【補正対象書類名】明細書
【補正対象項目名】０００８
【補正方法】変更
【補正の内容】
【０００８】
以上のことから、上記目的を達成するため、本開示の１つの観点によれば、ヒータ装置は、
発熱面を有し、その発熱面から熱を放射する発熱体と、
発熱面に対して積層され、その発熱体によって加熱される表層部とを備え、
表層部の色がその表層部の温度に応じて変化し、
表層部は第１変色層を含んで構成され、
第１変色層は、その第１変色層の温度が所定の第１温度閾値を超えると第１色から第２色へ変化し、
第１色は、第２色に比して放射率が大きい色である。
【国際調査報告】
2016163175.tif 000013
2016163175.tif 000014
2016163175.tif 000015
2016163175.tif 000016